(57)【要約】【課題】操作部に表示させる情報の価値を高めることができる情報処理システム、操作装置、情報表示方法及びプログラムを提供することを課題とする。【解決手段】ユーザからの操作を受け付ける操作部と、操作部からの要求に基づき動作する本体部とを有する情報処理システムであって、操作部は、ユーザから操作を受け付ける第１の画面を表示部に表示し、第１の画面に対するユーザの操作を受け付けて、操作に応じた要求を本体部に対して行う操作受付手段と、表示部に表示する表示候補の情報に関する設定がされている設定情報、及び、本体部から取得した本体部の状態情報に基づき、表示候補の情報から選択した少なくとも一つの前記情報を、表示部に表示された第１の画面より前面に表示する情報表示手段と、を有することにより、上記課題を解決する。【選択図】  図１
2014241093.tif 000002
【特許請求の範囲】
【請求項１】
ユーザからの操作を受け付ける操作部と、前記操作部からの要求に基づき動作する本体部とを有する情報処理システムであって、
前記操作部は、
ユーザから前記操作を受け付ける第１の画面を表示部に表示し、前記第１の画面に対するユーザの操作を受け付けて、前記操作に応じた要求を前記本体部に対して行う操作受付手段と、
前記表示部に表示する表示候補の情報に関する設定がされている設定情報、及び、前記本体部から取得した前記本体部の状態情報に基づき、前記表示候補の情報から選択した少なくとも一つの前記情報を、前記表示部に表示された前記第１の画面より前面に表示する情報表示手段と、
を有することを特徴とする情報処理システム。
【請求項２】
前記情報表示手段は、ユーザから前記設定情報の設定を受け付ける設定手段と、
前記設定手段が受け付けた前記設定情報を管理する管理手段と、
前記設定情報、及び、前記本体部の状態情報に基づき、前記表示候補の情報から選択した少なくとも一つの前記情報を、前記表示部に表示された前記第１の画面より前面に表示する表示手段と、
を有し、
前記設定手段は、前記表示候補の情報として、前記本体部の状態に関する情報、ユーザにより設定された任意の情報、前記情報処理システムの外部から取得する情報、の少なくとも一つの情報に関する前記設定情報の設定を受け付けること
を特徴とする請求項１記載の情報処理システム。
【請求項３】
前記設定手段は、前記表示候補の情報ごとの優先度を、ユーザから前記設定情報の設定として受け付け、
前記表示手段は、前記表示候補の情報ごとの優先度に基づき、前記表示候補の情報から少なくとも一つの前記情報を選択すること
を特徴とする請求項２記載の情報処理システム。
【請求項４】
前記表示手段は、前記設定情報に含まれるキャラクタの情報に基づき、前記表示候補の情報から選択した少なくとも一つの前記情報を、前記キャラクタの情報により指定された前記キャラクタの画像と共に、前記第１の画面より前面に表示すること
を特徴とする請求項２又は３記載の情報処理システム。
【請求項５】
前記表示手段は、前記第１の画面より前面に表示された前記キャラクタの画像に対するユーザの第１の操作を受け付けると、前記第１の画面より前面に表示されている前記キャラクタの画像の透明度を変化させると共に、前記キャラクタの画像と共に表示されている前記表示候補の情報から選択した少なくとも一つの前記情報の透明度も変化させること
を特徴とする請求項４記載の情報処理システム。
【請求項６】
前記表示手段は、前記キャラクタの画像と共に表示した前記表示候補の情報から選択した少なくとも一つの前記情報に対するユーザの前記第１の操作を受け付けると、前記第１の画面より前面に表示されている前記キャラクタの画像と共に表示した前記表示候補の情報から選択した少なくとも一つの前記情報の大きさを変化させること
を特徴とする請求項５記載の情報処理システム。
【請求項７】
前記情報表示手段は、情報更新のトリガを検知すると、前記表示部に表示する表示候補の情報に関する設定がされている設定情報、及び、前記本体部から取得した前記本体部の状態情報に基づき、前記表示候補の情報から少なくとも一つの前記情報を選択し直し、前記第１の画面より前面に表示された前記情報を更新すること
を特徴とする請求項１乃至６何れか一項記載の情報処理システム。
【請求項８】
前記操作部は前記本体部から独立したオペレーティングシステムが搭載され、前記本体部と独立に動作すること
を特徴とする請求項１乃至７何れか一項記載の情報処理システム。
【請求項９】
ユーザからの操作を受け付け、前記ユーザから受け付けた操作に基づき、本体装置を動作させるための要求を行う操作装置であって、
ユーザから前記操作を受け付ける第１の画面を表示部に表示し、前記第１の画面に対するユーザの操作を受け付けて、前記操作に応じた要求を前記本体装置に対して行う操作受付手段と、
前記表示部に表示する表示候補の情報に関する設定がされている設定情報、及び、前記本体装置から取得した前記本体装置の状態情報に基づき、前記表示候補の情報から選択した少なくとも一つの前記情報を、前記表示部に表示された前記第１の画面より前面に表示する情報表示手段と、
を有することを特徴とする操作装置。
【請求項１０】
ユーザからの操作を受け付ける操作部と、前記操作部からの要求に基づき動作する本体部とを有する情報処理システムで実行される情報表示方法であって、
ユーザから前記操作を受け付ける第１の画面を表示部に表示し、前記第１の画面に対するユーザの操作を受け付けて、前記操作に応じた要求を前記本体部に対して行う操作受付ステップと、
前記表示部に表示する表示候補の情報に関する設定がされている設定情報、及び、前記本体部から取得した前記本体部の状態情報に基づき、前記表示候補の情報から選択した少なくとも一つの前記情報を、前記表示部に表示された前記第１の画面より前面に表示する情報表示ステップと、
を有することを特徴とする情報表示方法。
【請求項１１】
ユーザからの操作を受け付け、前記ユーザから受け付けた操作に基づき、本体装置を動作させるための要求を行う操作装置を、
ユーザから前記操作を受け付ける第１の画面を表示部に表示し、前記第１の画面に対するユーザの操作を受け付けて、前記操作に応じた要求を前記本体装置に対して行う操作受付手段、
前記表示部に表示する表示候補の情報に関する設定がされている設定情報、及び、前記本体装置から取得した前記本体装置の状態情報に基づき、前記表示候補の情報から選択した少なくとも一つの前記情報を、前記表示部に表示された前記第１の画面より前面に表示する情報表示手段、
として機能させること、を特徴とするプログラム。
【発明の詳細な説明】
【技術分野】
【０００１】
本発明は、情報処理システム、操作装置、情報表示方法及びプログラムに関する。
【背景技術】
【０００２】
プリンタの使用状況に合わせユーザが作成したプリンタの設定に関するメッセージを視覚的にわかり易く伝えるプリンタは従来から知られている（例えば特許文献１参照）。
【０００３】
従来のプリンタは管理者がユーザに対して状況に応じてデバイスの設定可能な機能に関するコメントを効果的に通知するために、ネットワークに接続されたコメント格納サーバから設定項目に関するコメントを受信して表示していた。
【発明の概要】
【発明が解決しようとする課題】
【０００４】
操作部と本体部とを有する従来の情報処理システムでは、本体部にエラーが発生した時などに、ユーザへのコメントを操作部に表示させる場合がある。しかしながら、従来の情報処理システムはコメントの自由度が低く、操作部に表示させるコメントの価値を高めることが困難であった。
【０００５】
本発明の実施の形態は上記の点に鑑みなされたもので、操作部に表示させる情報の価値を高めることができる情報処理システム、操作装置、情報表示方法及びプログラムを提供することを目的とする。
【課題を解決するための手段】
【０００６】
上記目的を達成するため、本願請求項１は、ユーザからの操作を受け付ける操作部と、前記操作部からの要求に基づき動作する本体部とを有する情報処理システムであって、前記操作部は、ユーザから前記操作を受け付ける第１の画面を表示部に表示し、前記第１の画面に対するユーザの操作を受け付けて、前記操作に応じた要求を前記本体部に対して行う操作受付手段と、前記表示部に表示する表示候補の情報に関する設定がされている設定情報、及び、前記本体部から取得した前記本体部の状態情報に基づき、前記表示候補の情報から選択した少なくとも一つの前記情報を、前記表示部に表示された前記第１の画面より前面に表示する情報表示手段と、を有することを特徴とする。
【発明の効果】
【０００７】
本発明の実施の形態によれば、操作部に表示させる情報の価値を高めることができる。
【図面の簡単な説明】
【０００８】
【図１】本実施形態に係る画像処理装置の一例の構成図である。
【図２】本実施形態に係る本体部コントローラの一例の構成図である。
【図３】本実施形態に係る操作部コントローラの一例の構成図である。
【図４】コンピュータの一例のハードウェア構成図である。
【図５】アバターアプリの一例の機能ブロック図である。
【図６】アバター設定メニュー画面の一例のイメージ図である。
【図７】アバター一覧画面の一例のイメージ図である。
【図８】アバター機能設定画面の一例のイメージ図である。
【図９】機器状態取得設定画面の一例のイメージ図である。
【図１０】トナー残量ゼロ検知設定画面の一例のイメージ図である。
【図１１】ふきだし設定画面の一例のイメージ図である。
【図１２】優先度設定画面の一例のイメージ図である。
【図１３】黒トナー残量ゼロ検知設定画面の一例のイメージ図である。
【図１４】任意メッセージ選択画面の一例のイメージ図である。
【図１５】任意メッセージ設定画面の一例のイメージ図である。
【図１６】表示時間設定画面の一例のイメージ図である。
【図１７】表示曜日設定画面の一例のイメージ図である。
【図１８】ＲＳＳ情報選択画面の一例のイメージ図である。
【図１９】ＲＳＳ情報取得設定画面の一例のイメージ図である。
【図２０】アバター一覧情報の一例の構成図である。
【図２１】選択中アバター情報の一例の構成図である。
【図２２】機器状態取得設定情報の一例の構成図である。
【図２３】任意メッセージ設定情報の一例の構成図である。
【図２４】ＲＳＳ情報取得設定情報の一例の構成図である。
【図２５】アバター及びコメントが表示された操作画面の一例のイメージ図である。
【図２６】アバター表示処理の一例のフローチャートである。
【図２７】コメント選択処理の一例のフローチャートである。
【図２８】アバター操作処理の一例のフローチャートである。
【発明を実施するための形態】
【０００９】
次に、本発明の実施の形態について、詳細に説明する。なお、本実施形態では情報処理システム、情報処理装置の一例としての画像処理装置について説明する。
［第１の実施形態］
＜システム構成＞
図１は本実施形態に係る画像処理装置の一例の構成図である。
【００１０】
図１において、画像処理装置１はケーブル４によりデータ通信可能に接続された本体部２と操作部３とを備える。なお、本体部２と操作部３は、ケーブル４による有線接続に代えて、無線（赤外線を含む）接続としてもよい。
【００１１】
本体部２は、本体部コントローラ２１と、スキャナデバイス２２と、プロッタデバイス２３とを有する。本体部コントローラ２１は本体部２の制御動作を司る。スキャナデバイス２２は原稿の読み取りを行う。プロッタデバイス２３は用紙に印刷を行う。
【００１２】
なお、本体部２は、ＬＡＮ（Local Area Network）、ＷＡＮ（Wide Area Network）、インターネット等のネットワーク５を介してＰＣ（Personal Computer）等の端末装置６とデータ通信可能に接続できる。また、本体部２はネットワーク５に接続された無線アクセスポイント７を介してスマートフォン、タブレット等の端末装置８とデータ通信可能に接続できる。端末装置８はBluetooth（登録商標）等の近距離無線を利用して本体部２に直接にアクセスするようにしてもよい。
【００１３】
また、操作部３は、操作部コントローラ３１と、ハードキー３２と、液晶タッチパネル３３とを有する。操作部コントローラ３１は操作部３の制御動作を司る。ハードキー３２はユーザからの操作を受け付ける。液晶タッチパネル３３は画面表示および操作入力受付を行う。
【００１４】
なお、図示を省略しているが、操作部３はネットワーク５を介してＰＣ等の端末装置６とデータ通信可能に接続できる。また、操作部３はネットワーク５に接続された無線アクセスポイント７を介して、端末装置８とデータ通信可能に接続できる。このように、本体部２及び操作部３は有線接続又は無線接続によりネットワーク５に接続できる。
【００１５】
図２は本実施形態に係る本体部コントローラの一例の構成図である。本体部２の本体部コントローラ２１は、ＯＳ２１１と通信制御部２１２と通信Ｉ／Ｆ２１３とコピー制御部２１４とＭＩＢ情報管理部２１５とを有する。なお、本体部コントローラ２１は画像処理装置１の機能によって印刷制御部や読取制御部を有する構成であってもよい。本実施形態に係る本体部コントローラ２１は、コピー制御部２１４を有する構成を一例として示している。なお、図２は本実施形態の説明に不要な構成について省略している。
【００１６】
ＯＳ２１１は、本体部コントローラ２１の基本ソフトウェアである。通信制御部２１２は通信Ｉ／Ｆ２１３を介して操作部３とのデータ通信を制御する機能を有している。通信制御部２１２は、外部から受信したデータをコピー制御部２１４に転送し、コピー制御部２１４、ＭＩＢ情報管理部２１５からのデータを外部に送信する。
【００１７】
通信Ｉ／Ｆ２１３は例えばＵＳＢ（Universal Serial Bus）、シリアル、有線、無線ＬＡＮ、ブルートゥース（Bluetooth）、ＩｒＤＡ（Infrared Data Association）等の通信デバイスである。コピー制御部２１４は、スキャナデバイス２２、プロッタデバイス２３等を制御し、コピージョブの管理を行う機能を有している。また、コピー制御部２１４は通信制御部２１２を利用して後述の操作情報入出力部３１４に操作画面の表示依頼などを行う。ＭＩＢ情報管理部２１５はＭＩＢ（Management Information Base）情報の管理を行う機能を有している。ＭＩＢ情報には本体部２の状態を外部に知らせるために公開する機器状態情報が含まれている。
【００１８】
図３は本実施形態に係る操作部コントローラの一例の構成図である。操作部３の操作部コントローラ３１は、ＯＳ３１１と通信制御部３１２と通信Ｉ／Ｆ３１３と操作情報入出力部３１４とアバターアプリ３１５とコピーアプリ３１６とを有する。なお、操作部コントローラ３１は画像処理装置１の機能によってプリントアプリやスキャンアプリを有する構成であってもよい。本実施形態に係る操作部コントローラ３１は、コピーアプリ３１６を有する構成を一例として示している。なお、図３は本実施形態の説明に不要な構成について省略している。
【００１９】
ＯＳ３１１は、操作部コントローラ３１の基本ソフトウェアである。このように操作部コントローラ３１は独立したＯＳ３１１が搭載され、本体部２と独立に動作できる。ＯＳ３１１は例えばAndroid OS等を利用できる。
【００２０】
通信制御部３１２は通信Ｉ／Ｆ３１３を介して、本体部２とのデータ通信を制御する機能を有している。通信制御部３１２は、外部から受信したデータを操作情報入出力部３１４、アバターアプリ３１５、コピーアプリ３１６に転送する。また、通信制御部３１２は操作情報入出力部３１４、アバターアプリ３１５、コピーアプリ３１６からのデータを外部に送信する。また、通信Ｉ／Ｆ３１３は、ＵＳＢ、シリアル、有線、無線ＬＡＮ、Bluetooth、ＩｒＤＡ等の通信デバイスである。
【００２１】
操作情報入出力部３１４は、液晶タッチパネル３３によりユーザに対して画面を表示するとともに、ハードキー３２、液晶タッチパネル３３からユーザの操作を受け付ける機能を有している。
【００２２】
アバターアプリ３１５は操作情報入出力部３１４を利用して、液晶タッチパネル３３の画面に後述のアバター及びコメントを表示する。また、コピーアプリ３１６はＯＳ、基本ソフトウェアなどのファームウェア以外の動的に追加されるアプリケーションプログラムの一例である。
【００２３】
なお、本体部２と操作部３とは同一匡体内に設けてもよいし、別々の筐体内に設けるようにしてもよい。例えば本体部２の筐体と別の匡体内に設けられ、本体部２から分離可能な操作部３は無線接続にすることで、本体部２から分離したまま利用するというような利用形態が可能となる。
【００２４】
図４はコンピュータの一例のハードウェア構成図である。図２の本体部コントローラ２１及び図３の操作部コントローラ３１は例えば図４のハードウェア構成のコンピュータ５００にプログラムを実行させることにより実現される。
【００２５】
図４に示したコンピュータ５００は、外部Ｉ／Ｆ５０３、ＲＡＭ（Random Access Memory）５０４、ＲＯＭ（Read Only Memory）５０５、ＣＰＵ（Central Processing Unit）５０６、通信Ｉ／Ｆ５０７、及びＨＤＤ（Hard Disk Drive）５０８などを備え、それぞれがバスＢで相互に接続されている。
【００２６】
通信Ｉ／Ｆ５０７はコンピュータ５００をネットワーク５に接続するインタフェースである。これにより、コンピュータ５００は通信Ｉ／Ｆ５０７を介して、他のコンピュータ５００とデータ通信を行うことができる。ＨＤＤ５０８はプログラムやデータを格納している不揮発性の記憶装置の一例である。
【００２７】
なお、格納されるプログラムやデータにはコンピュータ５００全体を制御する基本ソフトウェアであるＯＳ、及びＯＳ上において各種機能を提供するアプリケーションプログラムやサービスプログラムなどのソフトウェアがある。ＨＤＤ５０８は、格納しているプログラムやデータを所定のファイルシステム及び／又はＤＢ（Data Base）により管理している。
【００２８】
外部Ｉ／Ｆ５０３は、外部装置とのインタフェースである。外部装置には、記録媒体５０３ａなどがある。これにより、コンピュータ５００は外部Ｉ／Ｆ５０３を介して、記録媒体５０３ａの読み取り及び／又は書き込みを行うことができる。記録媒体５０３ａにはフレキシブルディスク、ＣＤ（Compact Disk）、ＤＶＤ（Digital Versatile Disk）、ＳＤメモリカード、ＵＳＢ（Universal Serial Bus）メモリ等がある。
【００２９】
ＲＯＭ５０５は、電源を切ってもプログラムやデータを保持することができる不揮発性の半導体メモリ（記憶装置）の一例である。ＲＯＭ５０５には、コンピュータ５００の起動時に実行されるＢＩＯＳ（Basic Input/Output System）、ＯＳ設定、及びネットワーク設定などのプログラムやデータが格納されている。ＲＡＭ５０４は、プログラムやデータを一時保持する揮発性の半導体メモリ（記憶装置）の一例である。
【００３０】
ＣＰＵ５０６は、ＲＯＭ５０５やＨＤＤ５０８などの記憶装置からプログラムやデータをＲＡＭ５０４上に読み出し、処理を実行することで、コンピュータ５００全体の制御や機能を実現する演算装置である。
【００３１】
本体部コントローラ２１及び操作部コントローラ３１は例えば上記ハードウェア構成のコンピュータ５００上でプログラムを実行することにより、後述するような各種処理を実現できる。例えばアバターアプリ３１５は図５に示すような機能ブロックを実現する。
【００３２】
図５はアバターアプリの一例の機能ブロック図である。図５に示すように、アバターアプリ３１５は設定機能部６０１、情報管理部６０２、表示機能部６０３を実現する。設定機能部６０１はユーザから後述のアバターに関する設定を受け付ける。情報管理部６０２はユーザから受け付けたアバターに関する情報の管理を行う。情報管理部６０２は例えばデータベースにより実現できる。また、表示機能部６０３は後述のアバター及びコメントの表示を行う。
【００３３】
＜処理の詳細＞
本実施形態に係る画像処理装置１は、アバターアプリ３１５により後述のアバター設定処理、アバター表示処理を行う。
【００３４】
《アバター設定処理》
操作部３に後述のアバター及びコメントを表示させる準備のため、ユーザは本実施形態に係る操作部３を操作し、例えば図６に示すようなアバター設定メニュー画面１０００を液晶タッチパネル３３に表示させる。
【００３５】
図６はアバター設定メニュー画面の一例のイメージ図である。アバター設定メニュー画面１０００は、全アバター表示、アバター選択、アバター登録、アバター削除からユーザが行いたい内容を選択させるものである。アバター設定メニュー画面１０００は設定機能部６０１により表示される。ユーザは液晶タッチパネル３３からアバター設定メニュー画面１０００を操作できる。
【００３６】
アバター設定メニュー画面１０００から全アバター表示が選択されると、設定機能部６０１は後述のアバター一覧画面を液晶タッチパネル３３に表示させる。設定機能部６０１は情報管理部６０２が管理する後述のアバターに関する情報を用いて、アバター一覧画面を表示させる。
【００３７】
アバター選択が選択されると、設定機能部６０１は情報管理部６０２が管理する後述のアバターに関する情報を用いて、アバター選択画面（図示せず）を液晶タッチパネル３３に表示させる。アバター選択画面は登録されているアバターから液晶タッチパネル３３に表示させるアバターをユーザに選択させるものである。
【００３８】
アバター登録が選択されると、設定機能部６０１はアバター登録画面（図示せず）を液晶タッチパネル３３に表示させる。アバター登録画面はアバターをユーザに登録させるものである。設定機能部６０１はユーザにより登録されたアバターを、情報管理部６０２が管理する後述のアバターに関する情報に設定する。
【００３９】
アバター削除が選択されると、設定機能部６０１はアバター削除画面（図示せず）を液晶タッチパネル３３に表示させる。アバター削除画面は登録されているアバターから削除するアバターをユーザに選択させるものである。設定機能部６０１はユーザにより削除されたアバターに関する情報を、情報管理部６０２が管理するアバターに関する情報から削除する。
【００４０】
アバター設定メニュー画面１０００から全アバター表示が選択されたときに表示されるアバター一覧画面１１００は例えば図７に示すような画面になる。図７はアバター一覧画面の一例のイメージ図である。アバター一覧画面１１００は登録されている全アバターを一覧で表示する画面である。図７のアバター一覧画面１１００はアバターＡ、Ｂ及びＣが表示されたイメージ図である。
【００４１】
アバター一覧画面１１００からアバター（例えばアバターＡ）が選択されたときに表示されるアバター機能設定画面１２００は例えば図８に示すような画面になる。図８はアバター機能設定画面の一例のイメージ図である。アバター機能設定画面１２００は機器状態取得設定、任意メッセージ設定、ＲＳＳ情報取得設定からユーザが行いたい内容を選択させるものである。
【００４２】
アバター機能設定画面１２００から機器状態取得設定が選択されると、設定機能部６０１は後述の機器状態取得設定画面を液晶タッチパネル３３に表示させる。アバター機能設定画面１２００から任意メッセージ設定が選択されると、設定機能部６０１は後述の任意メッセージ選択画面を液晶タッチパネル３３に表示させる。アバター機能設定画面１２００からＲＳＳ情報取得設定が選択されると、設定機能部６０１は後述のＲＳＳ情報選択画面を液晶タッチパネル３３に表示させる。
【００４３】
アバター機能設定画面１２００から機器状態取得設定が選択されたときに表示される機器状態取得設定画面１３００は例えば図９に示すような画面になる。図９は機器状態取得設定画面の一例のイメージ図である。機器状態取得設定画面１３００は、機器ＩＰアドレス、コミュニティ名、トナー残量ゼロ検知設定、トレー残数ゼロ検知設定からユーザが設定したい内容を選択させるものである。
【００４４】
機器状態取得設定画面１３００から機器ＩＰアドレスが選択されると、設定機能部６０１は機器状態情報を取得する機器のＩＰアドレスをユーザに設定させる機器ＩＰアドレス設定画面（図示せず）を液晶タッチパネル３３に表示させる。また、機器状態取得設定画面１３００からコミュニティ名が選択されると、設定機能部６０１は機器状態情報を取得する機器のコミュニティ名をユーザに設定させるコミュニティ名設定画面（図示せず）を液晶タッチパネル３３に表示させる。
【００４５】
機器状態取得設定画面１３００からトナー残量ゼロ検知設定が選択されると、設定機能部６０１は後述のトナー残量ゼロ検知設定画面を液晶タッチパネル３３に表示させる。機器状態取得設定画面１３００からトレー残数ゼロ検知設定が選択されると、設定機能部６０１は後述のトレー残数ゼロ検知設定画面を液晶タッチパネル３３に表示させる。
【００４６】
機器状態取得設定画面１３００からトナー残量ゼロ検知設定が選択されたときに表示されるトナー残量ゼロ検知設定画面１４００は例えば図１０に示すような画面になる。図１０はトナー残量ゼロ検知設定画面の一例のイメージ図である。トナー残量ゼロ検知設定画面１４００は、ふきだし設定、優先度設定、黒トナー残量ゼロ検知設定、シアントナー残量ゼロ検知設定、マゼンダトナー残量ゼロ検知設定からユーザが設定したい内容を選択させるものである。
【００４７】
トナー残量ゼロ検知設定画面１４００からふきだし設定が選択されると、設定機能部６０１は後述のふきだし設定画面を液晶タッチパネル３３に表示させる。トナー残量ゼロ検知設定画面１４００から優先度設定が選択されると、設定機能部６０１は後述の優先度設定画面を液晶タッチパネル３３に表示させる。トナー残量ゼロ検知設定画面１４００から黒トナー残量ゼロ検知設定が選択されると、設定機能部６０１は後述の黒トナー残量ゼロ検知設定画面を液晶タッチパネル３３に表示させる。
【００４８】
トナー残量ゼロ検知設定画面１４００からシアントナー残量ゼロ検知設定が選択されると、設定機能部６０１は、シアントナー残量ゼロ検知設定画面（図示せず）を液晶タッチパネル３３に表示させる。トナー残量ゼロ検知設定画面１４００からマゼンタトナー残量ゼロ検知設定が選択されると、設定機能部６０１は、マゼンタトナー残量ゼロ検知設定画面（図示せず）を液晶タッチパネル３３に表示させる。
【００４９】
トナー残量ゼロ検知設定画面１４００からふきだし設定が選択されたときに表示されるふきだし設定画面１５００は例えば図１１に示すような画面になる。図１１はふきだし設定画面の一例のイメージ図である。ふきだし設定画面１５００は、トナー残量ゼロ検知時にアバターと共に表示するふきだしをユーザに選択させるものである。
【００５０】
トナー残量ゼロ検知設定画面１４００から優先度設定が選択されたときに表示される優先度設定画面１６００は例えば図１２に示すような画面になる。図１２は優先度設定画面の一例のイメージ図である。優先度設定画面１６００は、トナー残量ゼロ検知時に、アバターと共に表示するコメントの優先度をユーザに選択させるものである。図１２の優先度設定画面１６００は優先度としてＨＩＧＨ（高）、ＭＩＤＤＬＥ（中）、ＬＯＷ（低）の何れかをユーザに選択させる例を示している。
【００５１】
トナー残量ゼロ検知設定画面１４００から黒トナー残量ゼロ検知設定が選択されたときに表示される黒トナー残量ゼロ検知設定画面１７００は例えば図１３に示すような画面になる。図１３は黒トナー残量ゼロ検知設定画面の一例のイメージ図である。黒トナー残量ゼロ検知設定画面１７００は、トナー残量ゼロ検知時に必要な有効無効、コメント、ＵＲＬリンクをユーザに設定させるものである。
【００５２】
黒トナー残量ゼロ検知設定画面１７００から設定される有効無効は、黒トナー残量ゼロ検知時にアバターによるコメント表示を行うか否かを表す情報である。黒トナー残量ゼロ検知設定画面１７００から設定されるコメントは、黒トナー残量ゼロ検知時にふきだしに表示されるコメントの内容を表す情報である。黒トナー残量ゼロ検知設定画面１７００から設定されるＵＲＬリンクは、例えばコメントに合った接続先のＵＲＬ（例えばトナーを注文できるホームページなど）である。
【００５３】
また、図８のアバター機能設定画面１２００から任意メッセージ設定が選択されたときに表示される任意メッセージ選択画面１８００は図１４に示すような画面になる。図１４は任意メッセージ選択画面の一例のイメージ図である。任意メッセージ選択画面１８００は設定する任意メッセージをユーザに選択させるものである。
【００５４】
任意メッセージ選択画面１８００から１つの任意メッセージが選択されると、設定機能部６０１は図１５に示すような任意メッセージ設定画面１９００を液晶タッチパネル３３に表示させる。図１５は任意メッセージ設定画面の一例のイメージ図である。
【００５５】
任意メッセージ設定画面１９００は、有効無効、ふきだし、優先度、コメント、ＵＲＬリンク、表示時間設定、表示曜日設定をユーザに設定させるものである。
【００５６】
任意メッセージ設定画面１９００から設定される有効無効は、任意メッセージの表示を行うか否かを表す情報である。ふきだし設定は、図１１と同様なふきだし設定画面を液晶タッチパネル３３に表示して、任意メッセージの表示を行うふきだしをユーザに選択させるものである。優先度設定は、図１２と同様な優先度設定画面を液晶タッチパネル３３に表示して、任意メッセージの優先度をユーザに選択させるものである。コメントは、ふきだしに表示される任意メッセージの内容を表す情報である。ＵＲＬリンクは、例えばコメントに合った接続先のＵＲＬである。
【００５７】
任意メッセージ設定画面１９００から表示時間設定が選択されると、設定機能部６０１は後述の表示時間設定画面を液晶タッチパネル３３に表示させる。また、任意メッセージ設定画面１９００から表示曜日設定が選択されると、設定機能部６０１は後述の表示曜日設定画面を液晶タッチパネル３３に表示させる。
【００５８】
任意メッセージ設定画面１９００から表示時間設定が選択されたときに表示される表示時間設定画面２０００は例えば図１６に示すような画面になる。図１６は表示時間設定画面の一例のイメージ図である。表示時間設定画面２０００は、任意メッセージを表示したい時間帯を選択させるものである。表示時間設定画面２０００は時間帯を選択させるものの他、時間を選択させるものや、時間帯又は時間を設定させるものであってもよい。
【００５９】
任意メッセージ設定画面１９００から表示曜日設定が選択されたときに表示される表示曜日設定画面２１００は例えば図１７に示すような画面になる。図１７は表示曜日設定画面の一例のイメージ図である。表示曜日設定画面２１００は、任意メッセージを表示したい曜日を選択させるものである。
【００６０】
また、図８のアバター機能設定画面１２００からＲＳＳ情報取得設定が選択されたときに表示されるＲＳＳ情報選択画面２２００は図１８に示すような画面になる。図１８はＲＳＳ情報選択画面の一例のイメージ図である。ＲＳＳ情報選択画面２２００は設定するＲＳＳ情報をユーザに選択させるものである。
【００６１】
ＲＳＳ情報選択画面２２００から１つのＲＳＳ情報が選択されると、設定機能部６０１は図１９に示すようなＲＳＳ情報取得設定画面２３００を液晶タッチパネル３３に表示させる。図１９はＲＳＳ情報取得設定画面の一例のイメージ図である。ＲＳＳ情報取得設定画面２３００は、有効無効、ＵＲＬリンク、ふきだし、優先度をユーザに設定させるものである。
【００６２】
ＲＳＳ情報取得設定画面２３００から設定される有効無効は、ＲＳＳ情報の表示を行うか否かを表す情報である。ＵＲＬリンクは、ＲＳＳ情報の取得先のＵＲＬである。ふきだし設定は、図１１と同様なふきだし設定画面を液晶タッチパネル３３に表示して、ＲＳＳ情報の表示を行うふきだしをユーザに選択させるものである。優先度設定は、図１２と同様な優先度設定画面を液晶タッチパネル３３に表示して、ＲＳＳ情報の優先度をユーザに選択させるものである。
【００６３】
図６〜図１９に示した画面を利用することで、設定機能部６０１はアバターに関する設定をユーザから受け付ける。設定機能部６０１がユーザから受け付けたアバターに関する設定は情報管理部６０２により、図２０〜図２４に示す情報として管理される。
【００６４】
図２０はアバター一覧情報の一例の構成図である。図２０に示すアバター一覧情報は例えば図６のアバター設定メニュー画面１０００からアバター登録を選択することにより表示されるアバター登録画面（図示せず）から設定される。図２０のアバター一覧情報はアバターを一意に識別するＩＤ、アバター名、アイコン画像などを項目として有する。
【００６５】
図２１は選択中アバター情報の一例の構成図である。図２１に示す選択中アバター情報は例えば図６のアバター設定メニュー画面１０００からアバター選択を選択することにより表示されるアバター選択画面（図示せず）から設定される。図２１の選択中アバター情報は選択したアバターを一意に識別する選択アバターＩＤなどを項目として有する。
【００６６】
図２２は機器状態取得設定情報の一例の構成図である。図２２に示す機器状態取得設定情報は例えば図７のアバター一覧画面１１００から図８のアバター機能設定画面１２００を介して遷移する図９の機器状態取得設定画面１３００、図１０のトナー残量ゼロ検知設定画面１４００などから設定される。図２２の機器状態取得設定情報はアバターを一意に識別するＩＤ、機器ＩＰアドレス、コミュニティ名、ふきだし、優先度、有効無効、コメント、ＵＲＬリンクなどを項目として有する。
【００６７】
図２３は任意メッセージ設定情報の一例の構成図である。図２３の任意メッセージ設定情報は例えば図７のアバター一覧画面１１００から図８のアバター機能設定画面１２００を介して遷移する図１４の任意メッセージ選択画面１８００、図１５の任意メッセージ設定画面１９００などから設定される。図２３の機器状態取得設定情報はアバターを一意に識別するＩＤ、有効無効、ふきだし、優先度、コメント、ＵＲＬリンク、表示時間、表示曜日などを項目として有する。
【００６８】
図２４はＲＳＳ情報取得設定情報の一例の構成図である。図２４のＲＳＳ情報取得設定情報は例えば図７のアバター一覧画面１１００から図８のアバター機能設定画面１２００を介して遷移する図１８のＲＳＳ情報選択画面２２００、図１９のＲＳＳ情報取得設定画面２３００などから設定される。図２４のＲＳＳ情報取得設定情報はアバターを一意に識別するＩＤ、有効無効、ふきだし、優先度、コメント、ＵＲＬリンクなどを項目として有する。
【００６９】
なお、本実施形態ではアバター設定処理を操作部３から行う例を説明したが、操作部３とアクセス可能な端末装置６から行うようにしてもよい。また、アバター設定処理はクラウドサービスに代表されるＷｅｂアプリやサーバ側のアプリが受け付け、操作部３に配信するようにしてもよい。
【００７０】
《アバター表示処理》
アバター設定処理が行われた操作部３は図２０〜図２４に示した情報を利用することにより、液晶タッチパネル３３に表示される操作画面に、図２５に示すようなアバター２５０１及びふきだし２５０２を表示する。ふきだし２５０２にはコメントが表示される。
【００７１】
図２５はアバター及びコメントが表示された操作画面の一例のイメージ図である。操作画面に表示されるアバター２５０１は図２０のアバター一覧情報及び図２１の選択中アバター情報に基づくものとなる。
【００７２】
また、操作画面に表示されるアバター２５０１のふきだし２５０２及びふきだし２５０２に表示されるコメントは、図２２の機器状態取得設定情報、図２３の任意メッセージ設定情報、ＲＳＳ情報取得設定情報に基づくものとなる。ふきだし２５０２にはアバター２５０１が話しているかのようにコメントが表示される。
【００７３】
ふきだし２５０１には、例えば画像処理装置１の状態をアバター２５０１が話すコメントの他、操作方法のガイダンスを話すコメント、操作のアドバイスを話すコメント、挨拶やねぎらいの言葉を話すコメントなどが表示される。また、ふきだし２５０１には、質問アンケートを話すコメントの他、任意メッセージやＲＳＳ情報などが表示される。
【００７４】
画像処理装置１の状態をアバター２５０１が話すコメントの例としては「紙切れが発生しています。トレー１に紙を補給してね！」等である。操作方法のガイダンスを話すコメントの例としては「両面で集約は、○○の後、○○をしたらできますよ。」等である。操作のアドバイスを話すコメントの例としては「○○のようにコピーを取るともっと効率的ですよ。」等である。挨拶やねぎらいの言葉を話すコメントの例としては大量コピー時に表示する「いつもお仕事たいへんですね。」や時間に応じて表示する「夜遅くまでお疲れ様」等である。
【００７５】
図２６はアバター表示処理の一例のフローチャートである。例えばアバター表示処理は操作部３の起動時に開始される。ステップＳ１０において、アバターアプリ３１５の表示機能部６０３は図２０のアバター一覧情報、図２１の選択中アバター情報に基づき、操作画面にアバター２５０１を表示する。
【００７６】
ステップＳ１１において、表示機能部６０３は図２２の機器状態取得設定情報、図２３の任意メッセージ設定情報、図２４のＲＳＳ情報取得設定情報を参照し、優先度に応じてふきだし２５０２及びコメントを操作画面に表示する。なお、ステップＳ１１の詳細については後述する。
【００７７】
ステップＳ１２において、表示機能部６０３はコメント更新のトリガがあるか否かを判定する。コメント更新のトリガとしては、液晶タッチパネル３３へのユーザの操作、操作画面の更新、所定時間の経過、本体部２の機器状態（例えばエラー発生）等がある。
【００７８】
コメント更新のトリガがあれば、表示機能部６０３はステップＳ１３に進み、ふきだし２５０２及びコメントを更新するコメント更新を行う。コメント更新により新たに表示されるふきだし２５０２及びコメントは、例えばステップＳ１１と同様に決定することができる。なお、ステップＳ１３の詳細については後述する。コメント更新のトリガが無ければ表示機能部６０３はステップＳ１３の処理をスキップする。
【００７９】
ステップＳ１４において、表示機能部６０３はアバター２５０１の表示を終了するか否かを判定する。アバター２５０１の表示を終了しないのであれば、表示機能部６０３はステップＳ１２に戻り処理を続ける。アバター２５０１の表示を終了するのであれば、表示機能部６０３はステップＳ１５においてアバター２５０１、ふきだし２５０２及びコメントの表示を終了し、図２６のフローチャートの処理を終了する。
【００８０】
ステップＳ１１及びＳ１３において表示又は更新されるふきだし２５０２及びコメントは例えば図２７のフローチャートのように選択される。図２７はコメント選択処理の一例のフローチャートである。
【００８１】
ステップＳ２１において、表示機能部６０３はふきだし２５０２及びコメントの表示候補を選択する。ステップＳ２１における表示候補の選択は、図２２の機器状態取得設定情報、図２３の任意メッセージ設定情報、図２４のＲＳＳ情報取得設定情報から表示候補となり得るレコードを選択する処理となる。
【００８２】
例えば図２２の機器状態取得設定情報から表示候補となり得るレコードを選択する場合は本体部２のＭＩＢ情報管理部２１５から取得した機器状態情報に基づき、その機器状態に合致するレコードが選択される。例えば機器状態情報が黒トナー残量ゼロを示しているときは、図１３の黒トナー残量ゼロ検知設定画面１７００から設定されたコメント等を含むレコードが表示候補となり得るレコードとして選択される。アバターアプリ３１５は所定時間毎に、本体部２のＭＩＢ情報管理部２１５から例えばポーリングにより機器状態情報を取得する。
【００８３】
また、図２３の任意メッセージ設定情報から表示候補となり得るレコードを選択する場合は時間や曜日に基づき、表示時間や表示曜日が合致するレコードが選択される。図２４のＲＳＳ情報取得設定情報から表示候補となり得るレコードを選択する場合は例えば更新のあったＲＳＳ情報に合致するレコードが選択される。
【００８４】
ステップＳ２２において、表示機能部６０３はステップＳ２１で選択した表示候補となり得る各レコードの優先度を参照し、優先度高の表示候補があるか判定する。優先度高の表示候補があれば、表示機能部６０３はステップＳ２５において、優先度高の表示候補に基づくふきだし２５０２及びコメントを液晶タッチパネル３３に表示する。
【００８５】
なお、優先度高の表示候補が複数ある場合、表示機能部６０３は１つのアバター２５０１に対し、複数のふきだし２５０２及びコメントを表示してもよいし、一つのふきだし２５０２及びコメントを順番に表示するようにしてもよい。
【００８６】
また、優先度高の表示候補が無ければ、表示機能部６０３はステップＳ２３の処理に移行する。ステップＳ２３において、表示機能部６０３はステップＳ２１で選択した表示候補となり得る各レコードの優先度を参照し、優先度中の表示候補があるか判定する。優先度中の表示候補があれば、表示機能部６０３はステップＳ２６において、優先度中の表示候補に基づくふきだし２５０２及びコメントを液晶タッチパネル３３に表示する。
【００８７】
なお、優先度中の表示候補が複数ある場合、表示機能部６０３は１つのアバター２５０１に対し、複数のふきだし２５０２及びコメントを表示してもよいし、一つのふきだし２５０２及びコメントを順番に表示するようにしてもよい。
【００８８】
また、優先度中の表示候補が無ければ、表示機能部６０３はステップＳ２４の処理に移行する。ステップＳ２４において、表示機能部６０３はステップＳ２１で選択した表示候補となり得る各レコードの優先度を参照し、優先度低の表示候補があるか判定する。優先度低の表示候補があれば、表示機能部６０３はステップＳ２７において、優先度低の表示候補に基づくふきだし２５０２及びコメントを液晶タッチパネル３３に表示する。
【００８９】
なお、優先度低の表示候補が複数ある場合、表示機能部６０３は１つのアバター２５０１に対し、複数のふきだし２５０２及びコメントを表示してもよいし、一つのふきだし２５０２及びコメントを順番に表示するようにしてもよい。
【００９０】
液晶タッチパネル３３に表示されたアバター２５０１、ふきだし２５０２及びコメントはユーザの操作により自由に消せることが望ましい。そこで、表示機能部６０３はユーザからアバター２５０１、ふきだし２５０２及びコメントを消す操作をユーザから以下のように受け付ける。
【００９１】
例えば表示機能部６０３は、液晶タッチパネル３３に表示されたアバター２５０１上でのユーザのピンチ操作（ピンチイン、ピンチアウト）に基づき、アバター２５０１、ふきだし２５０２及びコメントの透明度を変化させる。なお、ピンチインとは、液晶タッチパネル３３の２点を指で押さえ、指を近づける操作である。ピンチインとは、液晶タッチパネル３３の２点を指で押さえ、指を遠ざける操作である。例えば表示機能部６０３はピンチインで透明（透過）度を上げ、ピンチアウトで透明度を下げる。
【００９２】
また、表示機能部６０３はユーザからアバター２５０１、ふきだし２５０２及びコメントを拡大、縮小する操作をユーザから以下のように受け付ける。例えば表示機能部６０３は液晶タッチパネル３３に表示されたアバター２５０１のふきだし２５０２上でのユーザのピンチ操作に基づき、アバター２５０１、ふきだし２５０２及びコメントを拡大・縮小させる。例えば表示機能部６０３はピンチインでアバター２５０１、ふきだし２５０２及びコメントを縮小し、ピンチアウトで拡大する。拡大・縮小する対象は、ふきだし２５０２及びコメントだけでもよい。
【００９３】
なお、透明に近づいたアバター２５０１、ふきだし２５０２及びコメントの液晶タッチパネル３３上における位置は認識が難しいため、透明度が閾値を超えている間、表示機能部６０３はユーザのピンチ操作を全て透明度の変化として受け付けてもよい。
【００９４】
図２８はアバター操作処理の一例のフローチャートである。ユーザによるピンチ操作を検知すると、表示機能部６０３は図２８のフローチャートの処理を開始する。ステップＳ３１において、表示機能部６０３はピンチ操作を検知した位置がアバター２５０１上（アバター２５０１のアイコン画像内）であるか判定する。
【００９５】
ピンチ操作を検知した位置がアバター２５０１上であれば、ステップＳ３２において表示機能部６０３は、アバター２５０１、ふきだし２５０２及びコメントの透明度を変化させる透過処理を行う。ステップＳ３３において、表示機能部６０３はステップＳ３２の透過処理によりアバター２５０１、ふきだし２５０２及びコメントの透明度が閾値を超えているか否かを判定する。
【００９６】
透明度が閾値を超えていれば、表示機能部６０３はアバター２５０１、ふきだし２５０２及びコメントの表示（表示レイヤー）を最背面にする。なお、アバター２５０１、ふきだし２５０２及びコメントの表示を最背面にしても、ユーザのピンチ操作は表示機能部６０３により検知できるようにする。
【００９７】
アバター２５０１、ふきだし２５０２及びコメントの表示が最背面になることで、アバターアプリ３１５以外のコピーアプリ３１６などのアプリケーションが作成する画面はアバター２５０１等に遮られることなく表示される。このように、アバター２５０１、ふきだし２５０２及びコメントの表示を最背面にすることで、表示機能部６０３はユーザによるコピーアプリ３１６の操作の邪魔にならないようにしている。
【００９８】
つまり、アバター２５０１やふきだし２５０２の表示領域と重なっている為に他のアプリケーションが作成する画面（例えばアプリを選択するためのアイコン画像等）が表示されない可能性がある。また、他のアプリケーションを利用するために画面を選択操作する等のユーザ操作が受け付けられないと、ユーザにとってアバター２５０１やふきだし２５０２が表示されていることが操作の邪魔になってしまう可能性がある。
【００９９】
従って、ユーザは液晶タッチパネル３３の任意の位置に対する操作により、その操作を他のアプリケーションに対する操作とするか、アバター２５０１又はふきだし２５０２に対する操作とするかを、自らの操作でコントロール出来る（切り替えられる）。
【０１００】
本実施形態において、アバター２５０１やふきだし２５０２の表示が最背面になったとしても、ピンチ操作に応じた処理を行う対象はアバター２５０１やふきだし２５０２である。一方、アバター２５０１やふきだし２５０２の表示が最背面になった場合のタッチ操作に応じた処理はアバター２５０１やふきだし２５０２ではない（例えば同じ位置に表示されていた他のアプリケーションに対する処理である）。
【０１０１】
これは、例えば他のアプリケーションのアイコン画像が表示されていた場合に、ユーザはピンチ操作によって該当する他のアプリケーションのアイコン画像を拡大・縮小あるいは透過したいといった事を望まない場合が考えられるためである。
【０１０２】
あるいは、一度、アバター２５０１やふきだし２５０２を最背面に表示した後に、アバター２５０１やふきだし２５０２を最前面に戻すことが出来なくなると、ユーザの利便性を損なう可能性があるためである。
【０１０３】
従って、少なくともアバター２５０１やふきだし２５０２を最前面に表示するか最背面に表示するかを制御するための特定のユーザ操作についてはアバター２５０１やふきだし２５０２が最前面又は最背面の何れに表示されていても、有効になることが望ましい。つまり、最前面に表示されていても最背面に表示されていても、その操作位置がアバター２５０１やふきだし２５０２の表示位置にあれば、常にアバター２５０１やふきだし２５０２は操作の対象となるようにするのが望ましい。
【０１０４】
なお、アバター２５０１やふきだし２５０２の表示を最前面とするか最背面とするかの制御に限らず、例えばアバター２５０１及びふきだし２５０２と、他のアプリケーションが作成する画面との前面背面の関係が切り替われる表示制御であればよい。少なくとも特定のユーザ操作（例えばタッチ操作）に応じた処理の対象が、操作位置に表示されているアバター２５０１やふきだし２５０２となるか、あるいは他のアプリケーションとなるかを切り替える表示制御であればよい。
【０１０５】
また、透明度が閾値を超えていなければ、表示機能部６０３はアバター２５０１、ふきだし２５０２及びコメントの表示を最前面にする。したがって、ユーザは液晶タッチパネル３３に表示されているアバター２５０１、ふきだし２５０２及びコメントを確認することができる。
【０１０６】
一方、ステップＳ３１において、ピンチ操作を検知した位置がアバター２５０１上でなければ、表示機能部６０３はピンチ操作を検知した位置がふきだし２５０２上（ふきだし２５０２の画像内）であるか判定する。
【０１０７】
ピンチ操作を検知した位置がふきだし２５０２上であれば、ステップＳ３６において表示機能部６０３は、アバター２５０１、ふきだし２５０２及びコメントを拡大・縮小する拡大・縮小処理を行う。なお、ステップＳ３５において、ピンチ操作を検知した位置がふきだし２５０２上でなければ、表示機能部６０３は図２８のフローチャートの処理を終了する。
【０１０８】
本実施形態ではふきだし２５０２にコメントを表示する例について説明したが、画像処理装置１が提供する機能を呼び出すショートカットキーを表示してもよい。また、ふきだし２５０２がユーザによりタッチされたときに、アバターアプリ３１５はコメント内容に応じた設定要求（例えばＴＣＯ削減のコメントに応じて紙を節約できる設定要求）を本体部２に対して自動的に行うようにしてもよい。
【０１０９】
さらに、アバターアプリ３１５の表示機能部６０３は、アバター２５０１をお勧めの機能のボタンの近くまで移動させる処理や、スワイプなどのユーザの操作により、ふきだし２５０２を消す処理など、を設けてもよい。スワイプとは、液晶タッチパネル３３の１点に指を触れたまま、指を滑らせる操作である。
【０１１０】
＜まとめ＞
本実施形態によれば、画像処理装置１の操作部３に、本体部２の機器状態情報、ユーザ間で共有したい任意メッセージ、インターネット等から取得できる情報などを、優先度に応じて表示させることができる。例えばトナー切れや紙切れ、故障などが本体部２で発生している場合、操作部３には機器状態情報に基づく対処方法などが表示される。
【０１１１】
また、トナー切れや紙切れ、故障などが本体部２で発生していない場合、操作部３には任意メッセージ、インターネット等から取得できる情報などを表示できる。例えば、任意メッセージにあいさつやねぎらいの言葉を含ませれば、画像処理装置１をフレンドリーな機器とすることもできる。
【０１１２】
このように、本実施形態によれば、ユーザから受け付けたアバター２５０１に関する設定に基づき、操作部３にアバター２５０１、ふきだし２５０２及びコメントを表示することで、操作部３に表示させる情報の価値を高めることができる。
【０１１３】
本発明は、具体的に開示された上記の実施形態に限定されるものではなく、特許請求の範囲から逸脱することなく、種々の変形や変更が可能である。例えば画像処理装置１は一例であって、用途や目的に応じて様々なシステム構成例があることは言うまでもないことである。例えば設定機能部６０１、情報管理部６０２は、操作部３の外に設ける構成でもよい。設定機能部６０１、情報管理部６０２は、例えば操作部３から通信可能なサーバ等に設けてもよい。サーバ等は複数台でも良く、機能を分散して設けてもよい。
【０１１４】
なお、特許請求の範囲に記載した第１の画面は例えばコピーアプリ３１６が液晶タッチパネル３３（表示部）に表示する画面に相当する。操作受付手段は例えばコピーアプリ３１６に相当する。設定情報は設定機能部６０１を利用してユーザが設定し、情報管理部６０２により管理される図２０〜図２４に示した各種情報に相当する。本体部の状態情報は機器状態情報に相当する。情報表示手段はアバターアプリ３１５に相当する。
【０１１５】
設定手段は設定機能部６０１に相当する。管理手段は情報管理部６０２に相当する。表示手段は表示機能部６０３に相当する。キャラクタはアバター２５０１に相当する。第１の操作はピンチ操作に相当する。情報に対するユーザの第１の操作は、ふきだし２５０２上でのユーザのピンチ操作に相当する。本体装置、操作装置は、それぞれ本体部２、操作部３に相当する。
【符号の説明】
【０１１６】
１    画像処理装置
２    本体部
３    操作部
４    ケーブル
５    ネットワーク
６、８    端末装置
７    無線アクセスポイント
２１    本体部コントローラ
２２    スキャナデバイス
２３    プロッタデバイス
３１    操作部コントローラ
３２    ハードキー
３３    液晶タッチパネル
２１１、３１１      ＯＳ部
２１２、３１２    通信制御部
２１３、３１３    通信Ｉ／Ｆ
２１４    コピー制御部
２１５    ＭＩＢ情報管理部
３１４    操作情報入出力部
３１５    アバターアプリ
３１６    コピーアプリ
５００    コンピュータ
５０３    外部Ｉ／Ｆ
５０３ａ    記録媒体
５０４    ＲＡＭ（Random Access Memory）
５０５    ＲＯＭ（Read Only Memory）
５０６    ＣＰＵ（Central Processing Unit）
５０７    通信Ｉ／Ｆ
５０８    ＨＤＤ（Hard Disk Drive）
６０１    設定機能部
６０２    情報管理部
６０３    表示機能部
２５０１    アバター
２５０２    ふきだし
【先行技術文献】
【特許文献】
【０１１７】
【特許文献１】特開２０１０−１４３１０８号公報
【図１】
2014241093.tif 000003
【図２】
2014241093.tif 000004
【図３】
2014241093.tif 000005
【図４】
2014241093.tif 000006
【図５】
2014241093.tif 000007
【図６】
2014241093.tif 000008
【図７】
2014241093.tif 000009
【図８】
2014241093.tif 000010
【図９】
2014241093.tif 000011
【図１０】
2014241093.tif 000012
【図１１】
2014241093.tif 000013
【図１２】
2014241093.tif 000014
【図１３】
2014241093.tif 000015
【図１４】
2014241093.tif 000016
【図１５】
2014241093.tif 000017
【図１６】
2014241093.tif 000018
【図１７】
2014241093.tif 000019
【図１８】
2014241093.tif 000020
【図１９】
2014241093.tif 000021
【図２０】
2014241093.tif 000022
【図２１】
2014241093.tif 000023
【図２２】
2014241093.tif 000024
【図２３】
2014241093.tif 000025
【図２４】
2014241093.tif 000026
【図２５】
2014241093.tif 000027
【図２６】
2014241093.tif 000028
【図２７】
2014241093.tif 000029
【図２８】
2014241093.tif 000030